(57)【要約】【課題】ケース自体に印刷し易く、組立て易くばらけ難いコンパクトディスクや小冊子など扁平状物を収納する組立てケースを提供すること。【解決手段】帯状のシートＡの一端縁から長手方向に、ディスクの一部を挿入する切り込み孔６を設けた第４の面部５、切り込み孔８を設けたディスクの一面側を覆う第２の面部３、ケースの側面となる面部２ａ、ディスクの他面側を覆う第１の面部１、ケースの側面となる面部２ｂ、端縁に封じ片４ａを設けた第３の面部４とを順に並べ、第１の面部１の幅方向両側端縁にケースの側面となる面部２ｃ及び２ｄを介して第５の面部６及び第６の面部７を配置し、第４の面部５から第１の面部１上に巻折し、その上に第５及び第６の面部６、７を折り重ね、その上に第３の面部４を折り重ねて封じ片４ａを切り込み孔８に挿入して組立てケースを構成する。【選択図】    図１
2007320570.tif 000002
【特許請求の範囲】
【請求項１】
扁平状の収納物の一面側を覆う第１の面部と、前記第１の面部の一端縁と前記収納物の約厚み分の幅を介して連接し、連接する近傍位置に封じ片を挿入する斜め方向に伸びる切り孔が形成された前記収納物の他面側を覆う第２の面部と、前記第１の面部の他端縁と前記幅を介して連接し、端縁に斜め方向に切り込み形成した前記切り孔に挿入する封じ片を有する第３の面部と、前記第２の面部の端縁と連接し前記収納物の一部を差し入れる切り込み孔を形成した第４の面部と、前記第１の面部の両側側縁のそれぞれに前記幅を介して連接した第５および第６の面部とを一枚のシートで形成され、前記第４の面部を前記第２の面部上に折り重ね、前記第４の面部を折り重ねた前記第２の面部を、前記幅分起立して前記第１の面部上に折り重ね、その上に第５および第６の面部を、前記幅分起立して折り重ね、その折り重ねた上に前記第３の面部を、前記幅分起立して折り重ねて第３の面部の封じ片を前記第２の面部の切り孔に挿入してなることを特徴とする組立てケース。
【請求項２】
第４の面部の両側側縁のそれぞれに収納物の約厚み分の幅を介して連接した第７および第８の面部と、第４の面部と第２の面部との間に収納物の約厚み分の幅の面部を設けてなることを特徴とする請求項１に記載の組立てケース。
【発明の詳細な説明】
【技術分野】
【０００１】
本発明は、コンパクトディスクなどの扁平状物を収納する組立てケースに関するものである。
【背景技術】
【０００２】
画像や音楽などをディジタル化して記録したコンパクトディスクは、１枚ごとプラスチック製の硬いケースに、そのコンパクトディスク用の小冊子と共に収納されているのが一般的であるが、場合によってはコンパクトディスクの一部を挿入する切り孔を形成した帯状の厚手の用紙、該用紙の端部側に形成した切り孔にコンパクトディスクの一部を挿入し、これを巻き折りしコンパクトディスクの両面を用紙で覆って収納されている。
【０００３】
しかし、前者のプラスチック製の硬いケースでは、ケース自体に印刷を施すことが困難であり、後者の紙製のケースでは、ケース自体に印刷を施すことは容易であるが、ケースがばらけ易くそのためにコンパクトディスクが落下して傷付け易いといった問題があった。
【発明の開示】
【発明が解決しようとする課題】
【０００４】
本発明が解決しようとする課題は、ケース自体に印刷し易く、組立て易くばらけ難いコンパクトディスクなどの扁平状物を収納する組立てケースを提供し、斯かる問題を解消する点にある。
【課題を解決するための手段】
【０００５】
本発明は、扁平状の収納物の一面側を覆う第１の面部と、前記第１の面部の一端縁と前記収納物の約厚み分の幅を介して連接し、連接する近傍位置に封じ片を挿入する斜め方向に伸びる切り孔が形成された前記収納物の他面側を覆う第２の面部と、前記第１の面部の他端縁と前記幅を介して連接し、端縁に斜め方向に切り込み形成した前記切り孔に挿入する封じ片を有する第３の面部と、前記第２の面部の端縁と連接し前記収納物の一部を差し入れる切り込み孔を形成した第４の面部と、前記第１の面部の両側側縁のそれぞれに前記幅を介して連接した第５および第６の面部とを一枚のシートで形成され、前記第４の面部を前記第２の面部上に折り重ね、前記第４の面部を折り重ねた前記第２の面部を、前記幅分起立して前記第１の面部上に折り重ね、その上に第５および第６の面部を、前記幅分起立して折り重ね、その折り重ねた上に前記第３の面部を、前記幅分起立して折り重ねて第３の面部の封じ片を前記第２の面部の切り孔に挿入してなることを特徴とする。
【発明の効果】
【０００６】
本発明では、第２の面部上に折り重ねた第４の面部の切り込み孔にコンパクトディスクなど扁平薄状の収納物の一部を差し入れ、その上に必要に応じて該コンパクトディスク用の小冊子などを重ね、これを収納物の約厚み分の幅分を起立して第１の面部上に折り重ね、その上に第５および第６の面部をそれぞれ前記幅分起立して折り重ね、さらにその上に前記幅分起立して第３の面部を折り重ね、折り重ねた最上面に位置する第３の面部の斜めに切り込み形成した封じ片をその下面に位置する第２の面部の斜めの切り孔に挿入して封じるので、扁平薄状の収納物の上下および側面を閉塞したケースを、接着材を使用することなく簡単に組み立てることができ、組立て後のケースは、斜めに切り込み形成した封じ片を斜めの切り孔に挿入して封じるので簡単に抜け出さず、ばらけ難いケースとなる。
【０００７】
また、ケースは一枚のシートで構成するので、簡単に印刷を施すことができ、また、ケースの保管に嵩張らず、さらには、シート材の再利用が図れ環境にも優しいケースとすることができる。加えて、幅をコンパクトディスクの径に合わせることにより、幅１２０ｍｍの定型郵便物として利用することができ、郵送料等の費用を低減することができる。
【発明を実施するための最良の形態】
【０００８】
ケース自体に印刷し易く、組立て易くばらけ難いコンパクトディスクや小冊子など扁平状物を収納する組立てケースを提供する目的を、厚手の紙などの一枚のシートを折り曲げて収納物の厚み程度の深さを有する、扁平状物を包むケースを形成し、折り重ねた最上面に位置する面に斜めに切り込み形成した封じ片をその下面に位置する面に形成した斜めの切り孔に挿入して各面の折り曲げ状態を維持させることにより実現した。
【実施例】
【０００９】
図１は本発明の実施例に係る扁平状物としてコンパクトディスクを収納する組立てケースの構成を示す図で（a）は斜視図、（ｂ）は展開図、図２は組み立て工程図である。図１（ａ）（ｂ）において、Ａは長さ略４４０ｍｍ幅略１５０ｍｍの概略帯状に形成された２２０ｋｇのアートポスト紙からなるシートである。
【００１０】
概略帯状に形成されたシートＡは、長さ方向の中央部分に、長さｌ１をコンパクトディスクの直径略１２０ｍｍとした、コンパクトディスクの一面側たとえば記録面側を覆う第１の面部１、第１の面部１の長さ方向の一方の端縁に組み立て後ケースの側面となる長さｔ３とした面部２ｂ、その面部２ｂに続き長さｌ２としたコンパクトディスクの他面側を覆う、４５度傾斜する両端に小孔８ａ，８ｂを設けた切り込み孔８を形成した第２の面部３、第１の面部１の長さ方向の他方の端縁に組み立て後ケースの側面となる長さｔ５とした面部２ａ、その面部２ａに続き長さｌ３とした、端縁に１３５度傾斜する、端部に小孔９ａを設けた切り込み９により形成した封じ片４ａを有する第３の面部４、第２の面部３に続きコンパクトディスクの一部を差し込む切り込み孔６を形成した、長さ略７６ｍｍの第４の面部５を並べ、第２の面部３と第４の面部５の境界にはコンパクトディスクの端縁部を逃がす長孔７が形成され、各面部の境界には谷折り筋が形成されている。
【００１１】
また、第１の面部１の長さ方向と直交する幅方向の両側の端縁にそれぞれに組み立て後のケースの側面となる長さｔ４の面部２ｃおよび２ｄ、各の面部２ｃ、２ｄに続き弧状の第５の面部１０ａおよび第６の面部１０ｂが形成され、各面部の境界に谷折り筋が形成されている。なお、ｌ１＞ｌ２＞ｌ３、ｔ５＞ｔ４＞ｔ３とシートを重ねる分異なる長さとしている。
【００１２】
以上のように形成した帯状のシートＡにより、コンパクトディスクを収納するとき、図２（ａ）に示すように第２の面部３の上に第４の面部５を谷折り筋にしたがって折り曲げ、コンパクトディスク１１の一部を切り込み孔６に挿入する。そして、面部２ｂを起立し、図２（ｂ）に示すように第１の面部１の上に谷折り筋にしたがって折り曲げる。
【００１３】
つづいて、面部２ｃおよび２ｄを起立し、図１（ａ）に示すように谷折り筋にしたがって第５の面部１０ａおよび第６の面部１０ｂを折り重ねた第２面部３の上に折り曲げて重ねる。最後に面部２ａを起立し、第３の面部４を第５の面部１０ａおよび第６の面部１０ｂを折り重ねた上に折り重ねる。
【００１４】
このとき、第３の面部４の封じ片４ａを第２の面部３の切り込み孔８に挿入して、幅ｌ厚みｔの扁平状の組立てケースを完成させる。図２（ｃ）はその状態を示しており、切り込み孔８と切り込み９は直交し、小孔８ａと９ａは重なっている。これにより抜けにくくかつ破れにくくなる。収納したコンパクトディスクを取り出すときは切り込み孔８に挿入した封じ片４ａを抜き出せば、接着材を使用していないのでケースは簡単に分解し、簡単に取り出すことができる。
【００１５】
図３は本発明の他の実施例に係る扁平薄状物としてコンパクトディスクを収納する組立てケースの構成を示す展開図である。なお、図１に示す実施例と同一部分には同一の符号を付し、その部の説明は省略する。
【００１６】
図１に示す実施例と異なる点は、コンパクトディスクの一部を差し込む切り込み孔６を形成した第４の面部５の長さ方向と直交する幅方向の両側の端縁にそれぞれに組み立て後のケースの側面となる長さｔ１の面部２ｇおよび２ｆ、その各面部２ｇ、２ｆに続き第７の面部１１ａおよび第８の面部１１ｂが形成され、第４の面部５と第２の面部３との間に組み立て後のケースの側面となる長さｔ２の面部２ｅを設け、その面部２ｅにコンパクトディスクの端縁部を逃がす長孔７を形成した点である。なお、ｔ５＞ｔ４＞ｔ３＞ｔ２＞ｔ１とシートを重ねる分長さが異なるようにしている。
【００１７】
この実施例では、第４の面部５を、面部２ｅを起立して第２の面部３の上に折り曲げ、込み孔６にコンパクトディスクを挿入する。そして、面部２ｇおよび２ｆを起立して第７の面部１１ａおよび第８の面部１１ｂをコンパクトディスクの上面に折り曲げる。以下、図１に示す実施例と同様に各面部を折り重ねて組立てケースを完成させる。この場合、組み立て後のケースの側面は２重構造となり、型崩れし難い組立てケースとなる。
【００１８】
なお、以上の説明であげた各数値はコンパクトディスクを収納する場合に好適であるが、これらの数値は収納する扁平状物の幅や厚みに応じて適宜に設定するものである。特に大型サイズの組立てケースとする場合には、第５の面部と第６の面部とを切り込みにより係合するようにすると型崩れのしにくい組立てケースとなる。また、実施例では組立てケース材を２２０ｋｇのアートポスト紙としているが、このアートポスト紙に限られるものではなく、その他の紙やプラスチックフィルムなどのシートであってもよい。
【図面の簡単な説明】
【００１９】
【図１】本発明の実施例に係る扁平薄状物を収納する組立てケースの構成を示す図で、（a）は斜視図、（ｂ）は展開図である。
【図２】図１に示す扁平薄状物を収納する組立てケースの組み立て説明図である。
【図３】本発明の他の実施例に係る扁平薄状物を収納する組立てケースの構成を示すは展開図である。
【符号の説明】
【００２０】
Ａ  シート
１  第１の面部
２ａ、２ｂ、２ｃ、２ｄ、２ｅ、２ｇ、２ｆ  側面部
３  第２の面部
４  第３の面部
４ａ  封じ片
５  第４の面部
６  切り込み孔
７  長孔
８  切り込み孔
８ａ、８ｂ、９a  小孔
９  切り込み
１０ａ
第５の面部
１０ｂ
第６の面部
１１ａ  第７の面部
１１ｂ  第８の面部
【図１】
2007320570.tif 000003
【図２】
2007320570.tif 000004
【図３】
2007320570.tif 000005